(57)【要約】【課題】介護者が適切に湿潤環境をコントロールできるようにしたハンドロール装置を提供する。【解決手段】ハンドロール装置は、手で握ることで保持が可能な、中空部を有する本体部と、該本体部は前記中空部と外部を連通する１組の開口が形成された部位を両端として有し、該本体部の表面には、前記中空部と外部とを連通する複数の通気穴が開けられている。本体部の中空部には、乾燥剤を収納する収納部と、手のひらの湿度を測定するための湿度センサと、湿度センサによる湿度が所定値を超えたことを例えばＬＥＤやブザーを用いて通知する通知部と、通知部に電力を提供する電源とが設けられている。【選択図】  図１
2013192652.tif 000002
【特許請求の範囲】
【請求項１】
手で握ることで保持が可能な、中空部を有する本体部と、該本体部は前記中空部と外部を連通する１組の開口が形成された部位を両端として有し、該本体部の表面には、前記中空部と外部とを連通する複数の通気穴が開けられており、
前記中空部に設けられ、乾燥剤を収納する収納部と、
前記中空部に設けられた湿度センサと、
前記湿度センサによる湿度が所定値を超えたことを通知する通知手段と、
前記通知手段に電力を供給する電源と、を備えることを特徴とするハンドロール装置。
【請求項２】
前記湿度センサ、前記通知手段、前記電源は前記収納部に取り付けられており、
前記両端の開口のうちの少なくとも一方の開口から前記収納部、前記湿度センサ、前記通知手段、前記電源を一括して出し入れが可能に構成されていることを特徴とする請求項１に記載のハンドロール装置。
【請求項３】
前記通知手段、前記電源が前記本体部とは別の外部装置に収納され、前記通知手段と前記湿度センサが電線により接続されることを特徴とする請求項１に記載のハンドロール装置。
【請求項４】
手で握ることで保持が可能な、中空部を有する本体部と、該本体部は前記中空部と外部を連通する１組の開口が形成された部位を両端として有し、該本体部の表面には、前記中空部と外部とを連通する複数の通気穴が開けられており、
前記中空部に設けられ、回転軸にファンが取り付けられたモータと、
前記中空部に設けられた湿度センサと、
前記湿度センサによる湿度が所定値を超えると前記モータを駆動する駆動手段と、
前記駆動手段に電力を供給する電源と、を備えることを特徴とするハンドロール装置。
【請求項５】
前記湿度センサ、前記駆動手段、前記電源は前記モータに取り付けられており、
前記両端の開口のうちの少なくとも一方の開口から前記モータ、前記湿度センサ、前記駆動手段、前記電源を一括して出し入れが可能に構成されていることを特徴とする請求項４に記載のハンドロール装置。
【請求項６】
前記駆動手段、前記電源が前記本体部とは別の外部装置に収納され、前記駆動手段と前記湿度センサおよび前記駆動手段と前記モータがそれぞれ電線により接続されることを特徴とする請求項４に記載のハンドロール装置。
【請求項７】
前記本体部の表面から外側へ突出し、前記本体部を握った手の指と指の間に入り込むように形成された突部を有することを特徴とする請求項１乃至６のいずれか１項に記載のハンドロール装置。
【請求項８】
前記本体部に接続され、前記本体部を手に固定するためのバンドを有することを特徴とする請求項１乃至７のいずれか１項に記載のハンドロール装置。
【請求項９】
前記本体部の前記開口に、他の本体部を接続することを可能にする接続手段を有することを特徴とする請求項１乃至７のいずれか１項に記載のハンドロール装置。
【請求項１０】
前記本体部は、前記中空部を有し、前記開口を両端とした筒状部材で構成されており、該筒状部材の側面が前記通気穴を有する、ことを特徴とする請求項１乃至９のいずれか１項に記載のハンドロール装置。
【発明の詳細な説明】
【技術分野】
【０００１】
本発明は、手指関節の拘縮などにより生じる手のひら内の湿潤環境を改善するためのハンドロール装置に関する。
【背景技術】
【０００２】
手指関節に拘縮が生じることにより手を握ったままの状態となる場合があり、たとえば長期臥床状態である高齢者や脳梗塞発症後麻痺が残る患者に多くみられる。このような症状を発症した患者においては、長時間にわたって手が握りしめられた状態となり、手のひらや指のすき間が湿潤環境になる。そのため、手のひらや指のすき間における細菌の繁殖やそれに伴うただれ、悪臭の原因となる。水虫などの原因とされる白癬菌などは、高温多湿（温度が１５℃以上、湿度が７０％以上）で繁殖するため、上記症状を呈する患者の場合、手のひら内の湿潤環境の改善は、重要な課題となっている。
【０００３】
上述のような手のひら内の湿潤環境を改善するために、看護や介護の現場では、乾燥した緑茶の葉をガーゼに包んでハンドロールを形成し、患者に握らせるなどする手法が提案されている。これは、乾燥した茶葉による吸湿、緑茶に含まれているカテキンの除菌、消臭作用の効果に期待するものであり、実際に湿潤環境の改善が得られたことも報告されている。また、特許文献１には、掌中にて把握出来る形状を有し、親指の移動方向を規制するとともに手のひらを十分に展開させて硬直状態を改善するリハビリ効果を得るための、手の介護具が記載されている。
【先行技術文献】
【特許文献】
【０００４】
【特許文献１】特開２００４−３５８１８６号公報
【発明の概要】
【発明が解決しようとする課題】
【０００５】
しかしながら、上述の特許文献１に記載された手の介護具は、拘縮した手指のリハビリに用いられるものであって、掌中の湿潤環境の改善を意図するものではない。
【０００６】
また、緑茶をガーゼで包んだハンドロールでは、その交換時期を適切に判定することは難しく、必要以上に交換を行なって患者や介護者に過剰な負担をかけてしまったり、交換の間隔が空きすぎて湿潤状態の改善が妨げられたりしていた。
【０００７】
本発明は、上記の課題に鑑みてなされたものであり、介護者が容易且つ適切に湿潤環境を低減できるようにしたハンドロール装置を提供することを目的とする。
【課題を解決するための手段】
【０００８】
上記の目的を達成するための本発明の一態様によるハンドロール装置は以下の構成を備える。すなわち、
手で握ることで保持が可能な、中空部を有する本体部と、該本体部は前記中空部と外部を連通する１組の開口が形成された部位を両端として有し、該本体部の表面には、前記中空部と外部とを連通する複数の通気穴が開けられており、
前記中空部に設けられ、乾燥剤を収納する収納部と、
前記中空部に設けられた湿度センサと、
前記湿度センサによる湿度が所定値を超えたことを通知する通知手段と、
前記通知手段に電力を供給する電源と、を備える。
【発明の効果】
【０００９】
本発明によれば、拘縮した手のひらにおける湿度を把握することができるため、介護者は容易に、適切に患者の手のひらの湿潤環境をコントロールできるようになる。
【図面の簡単な説明】
【００１０】
【図１】第１実施形態によるハンドロール装置を説明する図である。
【図２】第２実施形態によるハンドロール装置を説明する図である。
【図３】実施形態によるハンドロール装置の機能構成を説明する図である。
【図４】実施形態によるハンドロール装置の使用状態を説明する図である。
【図５】第３実施形態によるハンドロール装置を説明する図である。
【図６】第３実施形態によるハンドロール装置の使用状態を説明する図である。
【図７】ハンドロール装置の変形例を説明する図である。
【発明を実施するための形態】
【００１１】
以下、添付の図面を参照して本発明の好適な実施形態のいくつかを説明する。
【００１２】
＜第１実施形態＞
図１は、第１実施形態によるハンドロール装置の構成を説明する図である。図１において、（ａ）はハンドロール装置１００の正面図、（ｂ）は左側面図、（ｃ）は右側面図、（ｄ）は（ａ）に示したＡ−Ａにおける断面図、（ｅ）はハンドロール装置１００の、筒状部材１０１の長手方向に沿った断面図である。図１の（ａ）〜（ｅ）に示すように、ハンドロール装置１００の本体部は、その全体形状を規定する円筒形の筒状部材１０１を有し、手のひらで握って保持することが可能である。筒状部材１０１の両端は開口して、中空部と外部が連通しており、筒状部材１０１の表面にはその中空部と外部とを連通する複数の通気穴１０２，１０３が設けられている。通気穴１０２は、横一列に並列しているが、手のひらで握ったときの開放された空間や指と指との間から換気できるような配列となっている。また、大きな通気穴１０２だけでは、穴の設置に限りがあるので、通気穴１０２よりも小さい通気穴１０３を設けることで、更なる換気効果を実現することができる。
【００１３】
また、図１の（ｂ）、（ｃ）、（ｅ）に示すように、筒状部材１０１の中空部を形成する内壁には支持部材１０５が固定されており、乾燥剤等を収納するための収納部１０４が支持部材１０５により筒状部材１０１の中空部に支持されている。支持部材１０５の材質は特に限定されないが、本体部の筒状部材１０１と同様で良く、例えば材質は一般的な熱可塑性プラスチックであり、ポリプロピレン、ポリカーボネート、ポリエチレン、ポリサルホン、ポリ塩化ビニル、ポリスチレン、ABS、ポリウレタン、ポリアミド、ポリアセタールなどが挙げられる。また、支持部材１０５は、収納部１０４を確実に支持するための機能を有していれば良く、複数あれば好適で、図１（ｂ）（ｃ）（ｄ）に示すように、９０度ずつで４軸存在していることが好ましい。収納部１０４は中空の筒状を有し、その側面には網目が形成されており、この網目を介して収納部１０４の中空部と筒状部材１０１の中空部とが連通する。また、収納部１０４の端部は蓋１０６と電池ケース１０７により塞がれる。収納部１０４の内部には、蓋１０６と電池ケース１０７の少なくとも何れかは収納部１０４に対して着脱が可能となっており、収納部１０４の中空部に乾燥剤等を収納したり、交換したりすることができる。
【００１４】
収納部１０４には、制御部１０８と湿度センサ１０９が固定されている。制御部１０８は電池ケース１０７に収納されている電池により供給される電力で駆動し、湿度センサ１０９の湿度に応じた物理量（例えば、抵抗値）の変化から湿度を算出する。制御部１０８は、算出した湿度が所定値（例えば７０％）以上の場合にＬＥＤ１１０を点灯し、収納部１０４に収納された乾燥剤の交換を促す。なお、湿度が所定値以上となる状態が所定時間以上継続した場合にＬＥＤ１１０を点灯するようにしてもよい。この場合、制御部１０８にはタイマ機能が必要となる。
【００１５】
図１（ｆ）に示されるように、制御部１０８と湿度センサ１０９は収納部１０４に固定されており、収納部１０４、制御部１０８、湿度センサ１０９を筒状部材１０１から一括して取り出すことができるようになっている。筒状部材１０１は、患者の皮膚に直接接するため、筒状部材１０１を交換可能とすることで、清潔を保つことができる。また、収納部１０４等が取り外された筒状部材１０１は、洗浄、消毒することができ、再利用することができる。
【００１６】
図３（ａ）は第１実施形態によるハンドロール装置１００の制御構成例を示すブロック図である。制御部１０８は、電源としての電池３０１より供給される電力で駆動し、湿度センサ１０９の信号から湿度を算出し、算出した湿度が所定値以上の場合にＬＥＤ１１０を点灯してこれを使用者に知らせる。電池３０１は電池ケース１０７に収納されている。なお、湿度センサ１０９の代わりに、温度と湿度の両方を検出可能な温湿度センサを用いてもよい。この場合、制御部１０８は、温度と湿度の関係からＬＥＤ１１０を点灯するか否かを判定する。
【００１７】
図４は、第１実施形態によるハンドロール装置の使用状態を示す図である。図４（ａ）（ｂ）に示されるように、ハンドロール装置１００を患者の手に握らせる。使用者は、患者にハンドロール装置１００を握らせたまま、ＬＥＤ１１０の点灯を筒状部材の開口から確認することができる。なお、通知には、ＬＥＤ１１０に加えて、或いはこれに代えて、ブザーを用いてもよい。また、ＬＥＤ１１０による点灯とブザーの鳴動のいずれを用いるかを切り替えるようにしてもよい。
【００１８】
なお、筒状部材１０１の長さは、図４（ａ）（ｂ）に示されるように、一般的な成人の手の幅とほぼ同じにすることで、ハンドロール装置１００が手からはみ出す量を低減させる。ハンドロール装置１００をこのようなサイズとすれば、ハンドロール装置１００を不用意にぶつけたりすることを防ぐことができる。但し、図４（ｃ）（ｄ）に示すごとく、筒状部材１０１の長さを患者の手から確実にはみ出す程度に長くして、開口部が手のひらの外部に露出することを保証するようにしてもよい。筒状部材１０１の両端の開口部が手のひらよりはみ出すので、開口部が塞がれてしまうようなことがなくなり、手のひらの外部との通気性を確実に確保することができる。
【００１９】
以上のように、患者に本実施形態のハンドロール装置を握らせることで、内部に収納された乾燥剤により手のひらの湿潤環境を改善することができる。また、湿度センサにより手のひらの湿度が測定され、測定された湿度が所定値を超えるとその旨の通知がなされるので、使用者は乾燥剤の交換や、患者の手を広げて換気を促すといった処置を適切なタイミングで実施することができる。なお、収納部１０４には、乾燥剤に加えて脱臭剤を収納してもよい。
【００２０】
＜第２実施形態＞
第１実施形態では、筒状部材１０１の中空部に乾燥剤を収納する収納部１０４を設ける構成を説明した。第２実施形態では、収納部１０４に代えてファンを装着し、手のひら内の湿度が所定値以上になるとファンが回転して手のひらの湿潤環境を改善する構成を説明する。
【００２１】
図２は第２実施形態によるハンドロール装置１００の構成を示す図である。図２において、（ａ）はハンドロール装置１００の正面図、（ｂ）は左側面図、（ｃ）は右側面図、（ｄ）は（ａ）に示したＡ−Ａにおける断面図、（ｅ）はハンドロール装置１００の、筒状部材１０１の長手方向に沿った断面図である。図２（ａ）に第２実施形態によるハンドロール装置１００の正面図（外観）を示すが、これは第１実施形態（図１（ａ））とほぼ同様である。第２実施形態では、図２（ｅ）に示すように、ハンドロール装置１００の筒状部材１０１の中空部において、モータ２０１が支持部材１０５により支持されている。モータ２０１の回転軸にはファン２０２が装着されている。また、電池ケース１０７、制御部１０８、湿度センサ１０９はモータ２０１の外部に固定されている。したがって、図２（ｆ）に示されるように、モータ２０１、電池ケース１０７、制御部１０８、湿度センサ１０９は一括して筒状部材１０１から取り出すことができる。そのため、第１実施形態と同様に、皮膚と接触する筒状部材１０１を洗浄、消毒して再利用することができ、筒状部材１０１の清潔を維持できる。
【００２２】
図３（ｂ）は第２実施形態によるハンドロール装置１００の制御構成例を示すブロック図である。制御部１０８は、電源としての電池３０１により供給される電力で駆動し、湿度センサ１０９の信号から湿度を算出し、算出した湿度が所定値以上の場合にモータ２０１を駆動する。モータ２０１の駆動によりファン２０２が回転し、手のひら内の湿潤状態を改善する。なお、電池３０１は電池ケース１０７に収納されている。また、湿度センサ１０９の代わりに、温度と湿度の両方を検出可能な温湿度センサを用いてもよい。この場合、制御部１０８は、温度と湿度の関係からモータ２０１（ファン２０２）を駆動するか否かを判定する。
【００２３】
第２実施形態のハンドロール装置１００の使用形態は、第１実施形態と同様（図４）である。
【００２４】
以上のように、第２実施形態のハンドロール装置１００によれば、手のひら内の湿度が所定値を超えると自動的にファン２０２が回転して湿潤状態を改善する。そのため、乾燥剤の交換などの作業が不要となる。
【００２５】
＜第３実施形態＞
第１、第２実施形態では、電池ケース１０７や制御部１０８を一体化したハンドロール装置１００を示した。第３実施形態では、筒状部材１０１に湿度センサ１０９を設け、電池や制御部１０８を筒状部材１０１の外部に設ける構成を説明する。
【００２６】
図５は第３実施形態によるハンドロール装置１００の構成を示す図である。図５において、（ａ）はハンドロール装置１００の長手方向に沿った断面図および外部装置との接続を説明する図、（ｂ）はハンドロール装置１００の左側面図、（ｃ）は右側面図である。第１実施形態（図１）と比較すると、筒状部材１０１の中空部には、収納部１０４が支持されているが、収納部１０４には電池ケース１０７が取り付けられておらず、収納部１０４の両端は蓋１０６により塞がれている。また、収納部１０４には湿度センサ１０９が取り付けられているが、制御部１０８は取り付けられていない。上述した制御部１０８や電池３０１は外部装置５０１に設けられている。
【００２７】
外部装置５０１は、湿度表示部５１２、警告表示部５１３を含む表示部５１１を有する。外部装置５０１と湿度センサ１０９は電線５０２により接続されており、外部装置５０１は湿度センサ１０９からの信号を取り込んで湿度を算出する。算出された湿度は、湿度表示部５１２に表示される。また、算出された湿度が所定値以上の場合には、警告表示部５１３が点灯し、その旨をユーザに伝える。このとき、第１実施形態と同様にブザーが鳴動するようにしてもよい。バンド５２０は、外部装置５０１を患者の手首などに固定するために用いられる。
【００２８】
図６は第３実施形態によるハンドロール装置１００の使用例を示す図である。筒状部材１０１を握る患者の手首に外部装置５０１をバンド５２０により装着する。患者の手首に装着された外部装置５０１には、湿度センサ１０９により計測された手のひら内の湿度が表示されるので、介護者はより細やかに患者の湿潤環境を知ることができ、湿潤環境の改善のためにより適切な処置を行なうことができる。
【００２９】
なお、第３実施形態では、乾燥剤を収納する収納部１０４を用いた構成（第１実施形態に準じた構成）について説明したが、第２実施形態に準じた構成（モータ２０１を用いた構成）に適用してもよいことは言うまでもない。この場合、電線５０２は、湿度センサ１０９からの信号を伝達する信号線と、モータ２０１を駆動する電力を供給する動力線とを含むことになる。
【００３０】
＜変形例＞
上記各実施形態では、筒状部材１０１の形状を単純な筒形状としているが、これに限られるものではない。例えば、図７（ａ）に示されるように、筒状部材１０１の外側に向かって突出する突部７０１を、患者の指の間で挟まれるように設けてもよい。このような突部７０１を設ければ、患者の指と指の間に空間を形成することができ、より手のひら内における湿潤環境を改善できる。
【００３１】
また、筒状部材１０１の両端または一方の端部に筒状部材を長手方向に接続するための接続部を設けた構成としてもよい。例えば、図７（ｂ）のハンドロール装置１００の筒状部材１０１では、筒状部材の両端にねじが切ってあり、延長部材７１１、７１２を装着できるようになっている。このようにすれば、ユーザは、ハンドロール装置１００を短い状態で使用するか（図４（ａ），（ｂ））、長い状態で使用するか（図４（ｃ）、（ｄ））を選択できる。或いは、図７（ｂ）に示す延長部材のうちの一方のみを取り付けるなどして、長さを調節することもできる。
【００３２】
また、上記各実施形態では筒状部材として円筒形の部材（断面が円形の部材）を採用しているが、他の形状（例えば断面が六角形であるような筒状の部材）であってもよい。更に、図７（ｃ）に示されるように、筒状部材１０１を手のひらに固定するためのバンド７２１を設けてもよい。バンド７２１を設ければ、より確実にハンドロール装置１００を手のひらに固定でき、使い勝手が向上する。
【００３３】
さらに、上記実施形態では、本体部の形状として筒状（棒状）の形状を基本としているが、本発明がこれらに限られないことは言うまでもない。例えば、樽のような形状、球体、楕円体など、使用者の手のひらで把持することが可能な大きさおよび形状を有し、上述したような中空部、中空部と外部を連通する通気穴、１組の開口が形成されていればよい。なお、この場合、通気穴１０２や１０３を有する面を覆うように握った状態で手のひらにより覆われないような部位を端部とし、そのような部位に１組の開口を設けることになる。
【符号の説明】
【００３４】
１００：ハンドロール装置、  １０１：筒状部材、  １０２，１０３：通気穴、  １０４：収納部、  １０５：支持部材、  １０６：蓋、  １０７：電池ケース、  １０８：制御部、  １０９：湿度センサ、  １１０：ＬＥＤ、  ２０１：モータ、  ２０２：ファン、３０１：電池
【図１】
2013192652.tif 000003
【図２】
2013192652.tif 000004
【図３】
2013192652.tif 000005
【図４】
2013192652.tif 000006
【図５】
2013192652.tif 000007
【図６】
2013192652.tif 000008
【図７】
2013192652.tif 000009